(57)【要約】【課題】蒸留装置その他の理化学装置に使用される冷却器の外側管に結露して流下する結露の水滴の滴下を防止し得る冷却器用結露捕集・排水装置を提供する。【解決手段】弾性材よりなり、上端開口の略半球状のカップ状に形成され、冷却器３の外側管３０との間に結露の水滴を受け入れ貯留する結露貯留部１０を形成して冷却器の外側管の下端部側に嵌合する結露受け入れ容器部１と、この容器部の底部側に設け、貯留部内の貯留結露水を外部へ流出する排水管とを備える。前記容器部は、外側管３０の下端部側から突出させて設けた口管を気密性を保持し挿通させる口管用貫通孔を備え、前記孔に前記口管を貫通させて容器部を外側管に嵌合して装着するように構成する。排水管から流出する結露水は輸液管を通して任意の容器内に捕水（捕集）する。【選択図】図１
0003156864.tif 000002
【実用新案登録請求の範囲】
【請求項１】
蒸留装置その他の理化学装置に組み込まれて使用され、蒸気を冷却する冷却器の外側管の外周壁面に結露して流下する結露の水滴を受け入れて捕集する冷却器用結露捕集・排水装置であって、
弾性材よりなり、上端開口の略半球状のカップ形容器状に形成され、前記冷却器の外側管の外周壁面との間に、前記流下する結露の水滴を受け入れて貯留する結露貯留部を形成して前記外側管の前記結露の水滴の流下する側の端部側に嵌合して装着される結露受け入れ貯留容器部と、
前記容器部の底部側の所望の部位に設けられて前記容器部内の貯留結露水を前記容器外へ流出する排水管とを備え、
前記容器部は、前記排水管を気密性を保持して挿通させる排水管用貫通孔と、前記外側管の前記端部側から突出させて設けた口管を気密性を保持して挿通させる口管用貫通孔とを有し、
前記排水管を前記排水管用貫通孔に貫通させて前記容器部に取り付けると共に、前記口管を前記口管用貫通孔に貫通させて前記容器部を前記外側管の前記端部側に嵌合して装着するように構成されていることを特徴とする、冷却器用結露捕集・排水装置。
【請求項２】
前記外側管の前記端部側から突出させて設けた前記口管は、ジョイント用の口管と、冷媒導入用の口管であり、
前記口管用貫通孔は、前記ジョイント用の口管を挿通するジョイント用の口管挿通用の貫通孔と、前記冷媒導入用の口管を挿通する冷媒導入用の口管挿通用の貫通孔であることを特徴とする、請求項１に記載の冷却器用結露捕集・排水装置。
【請求項３】
前記外側管の前記端部側から突出させて設けた前記口管はジョイント用の口管であり、
前記口管用貫通孔は、前記ジョイント用の口管を挿通するジョイント用の口管挿通用の貫通孔であることを特徴とする、請求項１に記載の冷却器用結露捕集・排水装置。
【請求項４】
蒸留装置その他の理化学装置に組み込まれて使用され、蒸気を冷却する冷却器の外側管の外周壁面に結露して流下する結露の水滴を受け入れて捕集する冷却器用結露捕集・排水装置であって、
弾性材よりなり、上端開口の略半球状のカップ形容器状に形成され、前記冷却器の外側管の外周壁面との間に、前記流下する結露の水滴を受け入れて貯留する結露貯留部を形成して前記外側管の前記結露の水滴の流下する側の端部側に嵌合して装着される結露受け入れ貯留容器部と、
前記容器部の底部側の所望の部位に設けられて前記容器部内の貯留結露水を前記容器外へ流出する排水管とを備え、
前記容器部は、前記排出管を設ける部位に位置させて、前記容器部の外壁面又は内壁面に表示した排出管用の指標と、前記外側管の前記端部側から突出させて設けた口管と対応する部位に位置させて前記容器部の外壁面又は内壁面に表示した口管用の指標とを有し、
前記容器部の前記排水管用の指標の部位に前記排水管を気密性を保持して挿通させる排水管用貫通孔を開設するように構成すると共に、前記口管用の指標の部位に前記口管を気密性を保持して挿通させる口管用貫通孔を開設するように構成され、
前記排水管を前記開設された前記排水管用貫通孔に貫通させて前記容器部に取り付けると共に、前記口管を前記開設された前記口管用貫通孔に貫通させて前記容器部を前記外側管の前記端部側に嵌合して装着するように構成されていることを特徴とする、冷却器用結露捕集・排水装置。
【請求項５】
前記外側管の前記端部側から突出させて設けた前記口管は、ジョイント用の口管と、冷媒導入用の口管であり、
前記口管用の指標は、前記両口管用の指標であることを特徴とする、請求項４に記載の冷却器用結露捕集・排水装置。
【請求項６】
前記外側管の前記端部側から突出させて設けた前記口管は、ジョイント用の口管であり、
前記口管用の指標は、前記ジョイント用の口管用の指標であることを特徴とする、請求項４に記載の冷却器用結露捕集・排水装置。
【考案の詳細な説明】
【技術分野】
【０００１】
本考案は、理化学装置に使用される冷却器に結露した水滴を捕集する冷却器用結露捕集・排水装置に関する。さらに詳しくは、蒸留装置その他の理化学装置に組み込まれ使用され、蒸気を冷却する冷却器の外側管の外周壁面に結露して流下する水滴を受け入れて捕集する冷却器用結露捕集・排水装置に関する。
【背景技術】
【０００２】
従来、例えば蒸留，反応，抽出などに用いられる蒸留装置等の理化学装置には、装置の構成部として蒸気を冷却する冷却器が組み込まれて装置がセットされる。前記冷却器として、一般にリービッヒ冷却器，ジムロート冷却器，玉入冷却器，蛇管冷却器などの透明ガラス製の冷却器が使用される。
【０００３】
上記例示した各冷却器は、外側管の上下端を円弧状（略半円球状）に形成されていると共に前記外側管の下端中心部から突出させて設けたジョイント用の口管を備えている。また、冷媒導入用の口管（入口用口管）は、前記外側管の下端側から突出させて設けたタイプと、上端部側から突出させて設けたタイプとがある。また、冷媒流出用の口管（出口用口管）は、前記外側管の上端部側から突出させて設けられている。
【０００４】
一般に、例えば蒸留装置に組み込まれる冷却器は、外側管をそのまま外部に露出した状態で使用されている（例えば、特許文献１〜３参照）。冷却器は上述したように、蒸気を冷却するものであり、特許文献１〜３のように外側管を外部に露出した状態で使用すると、大気中の水蒸気が凝縮（凝結）して外側管の外周壁面は水滴で結露する。この結露した水滴（結露水）は流下して滴下する。上記現象は高温、かつ多湿の室内等の雰囲気下で使用した場合には特に顕著に現われる。
【０００５】
上記したように、蒸留装置を使用中に冷却器の外側管の外周壁面が結露し、水滴が流下して滴下すると、この水滴が冷却器で液化して回収した回収液に混入する問題が発生する恐れがあると共に前記装置等に水滴が滴下して支障をきたす等の問題が生じる恐れもある。
【０００６】
そこで、上記問題を解消する手段として、例えば、冷却器の外側管に織布や不織布などの布等を巻回して外側管を被覆して使用する方法を採用している場合がある。この方法を採用することにより、結露するのを或る程度防止することはできる。しかしながら、上記方法は布等を外側管に巻回する作業に手間が掛ると共に布等で外側管を被覆すると、冷却器の内部が見えなくなる等の問題がある。
【０００７】
上記問題を解消する他の手段として、外側管を真空二重管で構成した真空ジャケット付き冷却器が開発された。この冷却器によれば、真空ジャケットにより外側管に断熱性を付与させてあるので、上述した結露の問題は解消することができる。しかるに、上記真空ジャケットを備えた冷却器は構成が煩雑になり、製造コストが高くなる問題を有している。
【先行技術文献】
【特許文献】
【０００８】
【特許文献１】実開平１−１７９７０２号公報
【特許文献２】実開平１−１７９７０３号公報
【特許文献３】特開２００１−２５２５０１号公報
【考案の概要】
【考案が解決しようとする課題】
【０００９】
本考案は上記したような実情に鑑みてなされたもので、上述した解決手段とは発想を転換し、従来の冷却器をそのまま使用し、外側管に結露した水滴を受け入れ、これを外部へ導出して捕集し、結露の水滴が滴下するのを防止した冷却器用結露捕集・排水装置提供することを目的とするものである。
【課題を解決するための手段】
【００１０】
上記目的を達成するため、本考案のうち１つの考案（第１の考案）は、蒸留装置その他の理化学装置に組み込まれて使用され、蒸気を冷却する冷却器の外側管の外周壁面に結露して流下する結露の水滴を受け入れて捕集する冷却器用結露捕集・排水装置であって、
弾性材よりなり、上端開口の略半球状のカップ形容器状に形成され、前記冷却器の外側管の外周壁面との間に、前記流下する結露の水滴を受け入れて貯留する結露貯留部を形成して前記外側管の前記結露の水滴の流下する側の端部側に嵌合して装着される結露受け入れ貯留容器部と、
前記容器部の底部側の所望の部位に設けられて前記容器部内の貯留結露水を前記容器外へ流出する排水管とを備え、
前記容器部は、前記排水管を気密性を保持して挿通させる排水管用貫通孔と、前記外側管の前記端部側から突出させて設けた口管を気密性を保持して挿通させる口管用貫通孔とを有し、
前記排水管を前記排水管用貫通孔に貫通させて前記容器部に取り付けると共に、前記口管を前記口管用貫通孔に貫通させて前記容器部を前記外側管の前記端部側に嵌合して装着するように構成されていることを特徴とする。
【００１１】
なお、本考案の前記結露捕集・排水装置は、リービッヒ冷却器，ジムロート冷却器，玉入冷却器，蛇管冷却器、その他従来より蒸留装置その他の理化学装置に一般的に使用されている各種型式の冷却器に広く適用される。
【００１２】
本考案のうち、他の１つの考案（第２の考案）は、第１の考案の冷却器用結露捕集・排水装置において、前記外側管の前記端部側から突出させて設けた前記口管は、ジョイント用の口管と、冷媒導入用の口管であり、
前記口管用貫通孔は、前記ジョイント用の口管を挿通するジョイント用の口管挿通用の貫通孔と、前記冷媒導入用の口管を挿通する冷媒導入用の口管挿通用の貫通孔であることを特徴とする。
【００１３】
本考案のうち、さらに他の１つの考案（第３の考案）は、第１の考案の冷却器用結露捕集・排水装置において、前記外側管の前記端部側から突出させて設けた前記口管はジョイント用の口管であり、
前記口管用貫通孔は、前記ジョイント用の口管を挿通するジョイント用の口管挿通用の貫通孔であることを特徴とする。
【００１４】
本考案のうち、さらに他の１つの考案（第４の考案）は、蒸留装置その他の理化学装置に組み込まれて使用され、蒸気を冷却する冷却器の外側管の外周壁面に結露して流下する結露の水滴を受け入れて捕集する冷却器用結露捕集・排水装置であって、
弾性材よりなり、上端開口の略半球状のカップ形容器状に形成され、前記冷却器の外側管の外周壁面との間に、前記流下する結露の水滴を受け入れて貯留する結露貯留部を形成して前記外側管の前記結露の水滴の流下する側の端部側に嵌合して装着される結露受け入れ貯留容器部と、
前記容器部の底部側の所望の部位に設けられて前記容器部内の貯留結露水を前記容器外へ流出する排水管とを備え、
前記容器部は、前記排出管を設ける部位に位置させて、前記容器部の外壁面又は内壁面に表示した排出管用の指標と、前記外側管の前記端部側から突出させて設けた口管と対応する部位に位置させて前記容器部の外壁面又は内壁面に表示した口管用の指標とを有し、
前記容器部の前記排水管用の指標の部位に前記排水管を気密性を保持して挿通させる排水管用貫通孔を開設するように構成すると共に、前記口管用の指標の部位に前記口管を気密性を保持して挿通させる口管用貫通孔を開設するように構成され、
前記排水管を前記開設された前記排水管用貫通孔に貫通させて前記容器部に取り付けると共に、前記口管を前記開設された前記口管用貫通孔に貫通させて前記容器部を前記外側管の前記端部側に嵌合して装着するように構成されていることを特徴とする。
【００１５】
本考案のうち、さらに他の１つの考案（第５の考案）は、第４の考案の冷却器用結露捕集・排水装置において、前記外側管の前記端部側から突出させて設けた前記口管は、ジョイント用の口管と、冷媒導入用の口管であり、
前記口管用の指標は、前記両口管用の指標であることを特徴とする。
【００１６】
本考案のうち、さらに他の１つの考案（第６の考案）は、第４の考案の冷却器用結露捕集・排水装置において、前記外側管の前記端部側から突出させて設けた前記口管は、ジョイント用の口管であり、
前記口管用の指標は、前記ジョイント用の口管用の指標であることを特徴とする。
【考案の効果】
【００１７】
本考案によれば、次のような作用効果を奏する。
（１）冷却器の外側管の外周壁面に結露して流下する結露の水滴は結露受け入れ貯留容器部の結露貯留部内に全て受け入れられて貯留され、この貯留水（貯留された結露水）は排水管から前記容器部外に流出する。前記排水管から流出する前記水は輸液管を介して捕水用の容器内に捕集できる。即ち、例えば排水管に適当な長さの輸液管の一端側を接続すると共に前記管の他端側を任意の捕水用の容器内に臨ませておくことにより、前記流出水は前記管を通って前記容器内に順次流入して捕集（捕水）される。上記のように冷却器の外側管の外周壁面に結露した結露の水滴は全て捕集されるので、結露の水滴が前記装置の系内やヒーター部等へ滴下するのを確実に防止することができる。
（２）一般に市販されているリービッヒ冷却器その他の各種型式の冷却器に装着して使用することができる。
（３）構成が簡単であり、安価に量産することができる。
【図面の簡単な説明】
【００１８】
【図１】本考案の一実施形態の冷却器用結露捕集・排水装置の構成を概略的に示す図であって、同図（ａ）は前記装置の結露受け入れ貯留容器部の平面図、同図（ｂ）は同図（ａ）のＡ−Ａ線断面図、同図（ｃ）は前記容器部を底面側から見た斜視図、同図（ｄ）は前記装置の排水管の縦断面図、同図（ｅ）は前記捕集・排水装置を冷却器に装着した状態を示す説明図である。
【図２】前記容器部に設けた貫通孔の作用を説明するために示す説明図であって、同図（ａ）は前記容器部の展開平面図、同図（ｂ）は前記容器部の口管用貫通孔の部分を拡大して示す説明図、同図（ｃ）は口管を前記貫通孔に挿通した状態を示す説明図である。
【図３】図３（ａ）は図１（ｅ）の冷却器の全体構成を概略的に示す側面図、図３（ｂ）は前記冷却器と別構成の冷却器の構成を概略的に示す側面図、図３（ｃ）は前記捕集・排水装置を図３（ｂ）の冷却器に装着した状態を示す説明図である。
【図４】前記捕集・排水装置の使用状態を示す説明図である。
【図５】前記捕集・排水装置の他の使用状態を示す説明図である。
【図６】本考案の他の実施形態の冷却器用結露捕集・排水装置を示す図であって、同図（ａ）は前記捕集・排水装置の結露受け入れ貯留容器部の構成を概略的に示す平面図、同図（ｂ）は同図（ａ）のＢ−Ｂ線断面図、同図（ｃ）は冷却器の一例の構成を概略的に示す側面図、同図（ｄ）は前記捕集・排水装置を前記冷却器に装着した状態を示す説明図である。
【図７】本考案のさらに他の実施形態の冷却器用結露捕集・排水装置の構成を概略的に示す図であって、同図（ａ）は前記捕集・排水装置の結露受け入れ貯留容器部を示す縦断面図、同図（ｂ）は前記容器部を底部側から見た斜視図、同図（ｃ）は前記容器部の展開平面図である。
【図８】図７に示す結露受け入れ貯留容器部の指標の部位に貫通孔を開設した状態を示す説明図であって、同図（ａ）は排水管用の指標とジョイント用の指標、及び冷媒導入管用の指標の各部位に貫通孔を開設した状態の前記容器部の構成を概略的に示す平面図、同図（ｂ）は同図（ａ）のＣ−Ｃ線断面図、同図（ｃ）は排水管用の指標及び冷媒導入管用の指標の両部位に貫通孔を開設した状態の前記容器部の構成を概略的に示す平面図、同図（ｄ）は同図（ｅ）のＤ−Ｄ線断面図である。
【考案を実施するための形態】
【００１９】
以下、図面を参照して本考案の冷却器用結露捕集・排水装置の実施形態の一例について説明する。
【００２０】
図１ないし図５は、本考案の一実施形態（実施形態１）の冷却器用結露捕集・排水装置を示す。これら図１ないし図５に示すように、実施形態１の冷却器用結露捕集・排水装置は、蒸留装置その他の理化学装置に組み込まれて使用され、蒸気を冷却する冷却器３の所定部に嵌合して装着される結露受け入れ貯留容器部１と、この容器部１の底部側の所望の部位に設ける排水管２とを備える。
【００２１】
実施形態１では、冷却器３として、リービッヒ冷却器が開示されている。この冷却器３は一般的に使用されているリービッヒ冷却器であり、その構成等について概略的に説明する。
冷却器３は外側管３０と、内管３１と、ジョイント用の口管３２，３３と、冷媒導入用の口管３４（入口用口管）と、冷媒流出用の口管３５（出口用口管）とを備える。
【００２２】
外側管３０の両端は円弧状（略半球状）に形成されている。内管３１は外側管３０内の中心部に管３０の一端から他端にかけて配置され、両端を外側管３０の両端にそれぞれ溶着等で固着して設けてある。一方のジョイント用の口管３２は、管３２ａの先端にテーパージョイント３２ｂ（テーパー栓）を有している。前記口管３２は、管３２ａの基端を内管３１と連通させると共に管３２ａの基端を内管３１及び外側管３０に溶着等で固着し、外側管３０の一端部側（図１（ｅ）において下端部側）の中心部から突出させて設けてある。外側管３０の前記一端部側が結露の水滴の流下する側の端部側になる。この点については追ってさらに説明する。
【００２３】
他方のジョイント用の口管３３は、管３３ａの先端にジョイント用のテーパー筒部（接続用嵌合筒部）を有している。前記口管３３は、管３３ａの基端を内管３１と連通させると管３３ａの基端を内管３１及び外管に溶着等で固着し、外側管３０の他端部側（図１（ｅ）において上端部側）の中心部から突出させて設けてある。
【００２４】
冷媒導入用の口管３４は、基端を外側管３０内と連通させると共に外側管３０に溶着等で固着し、外側管３０の前記一端部側（図１（ｅ）において下端部側）の所望（適当）の部位から突出させて設けてある。
冷媒流出用の口管３５は、基端を外側管３０内と連通させると共に外側管３０に溶着等で固着し、外側管３０の前記他端部側（図１（ｅ）において上端部側）の所望（適当）の部位から突出させて設けてある。
【００２５】
外側管３０の内部で冷媒室３６が形成される。冷媒は冷媒導入用の口管３４から前記室３６内に順次導入され、室３６内を通って冷媒流出用の口管３５から順次流出（導出）される。前記室３６内に導入された冷媒により熱交換され、内管３１内は冷却される。蒸気は内管３１へ導入される。この蒸気は内管３１内を通過する間に冷媒で冷却されて、液化する。前記室内に冷媒が導入されると、外側管３０の外周壁面は大気中の水蒸気の凝縮（凝結）により結露する。
【００２６】
冷媒としては、一般に水その他の液体が使用される。冷却器３は、一般に所望温度の冷媒を供給して循環する冷媒供給循環装置（図示せず）に接続して使用される。前記循環装置は、恒温槽（恒温貯槽），冷却ないし冷凍機，加熱器，ポンプ，コンプレッサ，及び温度制御手段などを備えている。また、前記循環装置は、吐出口及び戻り口を備え、前記槽内の冷媒を前記ポンプ等により吐出口から送給し、戻り口から前記槽内へ戻すように構成されている。
そして、冷却器３は、冷媒導入用の口管３４を前記循環装置の吐出口に保温性や断熱性を有するホースや管材等で構成した冷媒（熱媒）輸送用管体で接続すると共に冷媒流出用の口管３５を前記と同様の管体で前記装置の戻り口に接続して使用される。
【００２７】
冷却器３は、外側管３０の前記一端部側（図１（ｅ）において下端部側）を下部側に位置するように配置して、蒸留装置その他の理化学装置に組み込まれてセットされる。これにより、外側管３０の外周壁面に結露した結露の水滴は外側管３０の前記一端部側に流下する。したがって、外側管３０の前記一端部側が結露の水滴の流下する側の端部側になる。
【００２８】
図３（ｂ）及び（ｃ）に記載の冷却器３（リービッヒ冷却器）は、ジョイント用の口管３２及び３３として、球面管ジョイントを採用している。即ち、一方のジョイント用の口管３２は、管３２ａの先端に球面ジョイント３２ｃ（凸球面ジョイント）を有してなっている。また、他方のジョイント用の口管３３は、管３３ａの先端に球面ジョイント３３ｃ（凹球面ジョイント）を有してなっている。他の構成は図１（ｅ）及び図３（ａ）に示す冷却器３と同様に構成されているため、同一構成部等に同一符号を付して説明を省略する。
【００２９】
実施形態１の冷却器用結露捕集・排水装置は上記のように構成した冷却器３に装着して使用される。この結露捕集・排水装置は、上述したように結露受け入れ貯留容器部１と、排水管２とを備える。
【００３０】
前記容器部１はゴムその他の弾性材で構成される。実施形態１の前記容器部１はシリコンゴムで構成されている。前記容器部１は、上端開口１０ａの略半球状のカップ形容器状に形成される。前記容器部１は、前記冷却部３の外側管３０の外周壁面との間に、前記壁面に結露して流下する結露の水滴を受け入れて貯留する結露貯留部１０（図１（ｅ）、図３（ｃ）参照）を形成して前記外側管３０の前記結露の水滴の流下する側の端部側に嵌合して装着するように構成されている。
【００３１】
前記貯留部１０の容積は結露の水滴（結露水）の流下する量等を考慮して適当に決定する。実施形態１の前記容器部１は、外側管３０の外径より大径の内径をもつ略半球状のカップ状容器体１１で構成されている。これにより、前記容器部１を外側管３０の前記一端部側に嵌合することにより、図１（ｅ）及び図３（ｃ）に示すように、外側管３０の外周壁面とカップ状容器体１１の内壁面との間に空隙部が形成され、この空隙部で前記貯留部１０が形成される。
【００３２】
前記排水管２は、前記容器部１内に貯留される水（結露水）を容器部１外へ流出するもので、容器部１の底部側の所望の部位（適当の部位）に位置させて設けられる。排水管２の素材は特に限定されないが、例えば硬質のプラスチック製の管材等を採用できる。
【００３３】
排水管２の径及び長さは適当に決定できる。例えば、内径約１〜約２．５ミリ、外径約２〜約５ミリ程度、長さ約１０〜約２０ミリ程度に形成できる。但し、上記範囲内に限定するものではない。
実施形態１の排水管２は、管２０の一端に適当な直径の環状フランジ２１を有している。前記フランジ２１は、後述するように、排水管２を容器部１に取り付けた際に排水管２が容器部１から脱抜するのを防止するために設けたものである。
【００３４】
前記容器部１は、排水管２の前記管２０を気密性を保持して挿通させる排水管用貫通孔１２と、外側管３０の結露の水滴の流下する側の端部側から突出させて設けた口管を気密性を保持して挿通させる口管用貫通孔とを有する。
【００３５】
実施形態１の冷却器の外側管３０の前記端部側には、ジョイント用の口管３２と冷媒導入用の口管３４が突出させて設けてある。前記両口管３２及び３４が上述した口管に該当する。したがって、実施形態１の容器部１は、ジョイント用の口管３２（口管３２の管３２ａ）を気密性を保持して挿通させるジョイント用の口管挿通用の貫通孔１３と、冷媒導入用の口管３４を気密性を保持して挿通させる冷媒導入管用の口管挿通用の貫通孔１４とを有している。
【００３６】
前記各貫通孔１２，１３，１４は、それぞれ該当する前記各管２，３２（３２ａ），３４の外径の直径より小径の孔を開設することにより形成できる。具体的には、前記各管２，３２（３２ａ），３４の外径の直径の約１／３〜約２／３程度の直径の孔を開設することにより形成できる。
【００３７】
前記各貫通孔１２，１３，１４は図２（ａ）に仮想線で示すように、前記孔内に孔径より大径の円管や丸棒等を挿通して外力を付与することにより、弾性復帰力を持ちながら弾性的に拡径する。この状態を図２（ｂ）及び（ｃ）を参照して、さらに具体的に説明する。図２（ａ）はジョイント用の口管３２を挿通する前の前記貫通孔１３を示す説明図であり、同図（ｃ）は前記口管３２を挿通した状態を示す説明図である。前記貫通孔１３は前記口管３２（管３２ａ）の外径の約１／２の大きさの孔で形成されている。そして、前記孔１３に前記口管３２を挿通すると、同図（ｃ）に示すように、孔１３は弾性的に拡径し、孔１３の内周壁面が管３２ａの外周壁面に密接する。したがって、前記口管３２は前記孔１３に気密性を保持して貫通する。他の二つの前記孔１２及び１４についても上記と同様である。
【００３８】
実施形態１の冷却器用結露捕集・排水装置は上記の構成を具備し、図１（ｅ）及び図３（ｃ）に示すように、排水管２を排水管用貫通孔１２に貫通させて前記容器部に取付ける。そして、ジョイント用の口管３２を前記貫通孔１３に貫通すると共に冷媒導入用の口管３４を前記貫通孔１４に貫通させて前記容器部１を外側管３０の前記端部側に嵌合して装着して使用される。これにより、図１（ｅ）及び図３（ｃ）に示すように、冷却器３の外側管３０の外周壁面に結露して流下する結露の水滴は前記容器部１の結露貯留部１０内に全て受け入れられて貯留され、この貯留水５０（結露水）は排水管２から前記容器部１外へ順次流出する。
【００３９】
前記排水管２から流出する前記水５０は任意の輸液管等を介して任意の捕水用の容器内に捕集できる。即ち、例えば、排水管２に適当な長さの輸液管５１を接続すると共に管５１の他端側を任意の捕水用の容器５２（図４、図５参照）内に臨ませておくことにより、前記流出水は輸液管５１を通って前記容器５２内に順次流入して捕集される。上記のように、冷却器３の外側管３０の外周壁面に生じる結露は全て捕集されるので、結露の水滴が理化学装置の系内やヒーター部等へ滴下するのを確実に防止することができる。
【００４０】
実施形態１の冷却器用結露捕集・排水装置は上記のように構成され、この結露捕集・排水装置は蒸留装置その他の理化学装置に組み込まれた冷却器に上記のように装着して使用される。
【００４１】
図４及び図５は、実施形態１の前記結露捕集・排水装置の使用状態を示す説明図である。図４には、図１（ｅ）及び図３（ａ）に示す冷却器３を使用した一例の溶媒精製用の蒸留装置６に実施形態１の前記結露捕集・排水装置を装着した使用例の一例が開示されている。また、図５には、図３（ｂ）及び（ｃ）に示す冷却器３を使用した一例のアンモニア窒素蒸留装置やシアンイオン蒸留装置等の蒸留装置７に実施形態１の前記結露捕集・排水装置を装着した使用例の一例が開示されている。
【００４２】
図４において、６０はフラスコ、６１はヒーター、６２は連結管を示す。また、図５において、７０はフラスコ、７１はヒーター、７２は連結管、７３，７４はクリップを示す。上記いずれの蒸留装置においても、実施形態１の前記結露捕集・排水装置を装置して使用することにより、冷却器３の外側管３０の外周壁面に結露して流下する結露の水滴は前記容器部１の結露貯留部１０内に全て受け入れられて貯留され、この貯留水は排水管２から前記容器部１外へ順次流出し、輸液管５１を通って前記容器５２内に流入して捕集（捕水）される。したがって、結露の水滴が上述した部位等へ滴下するのを確実に防止できる。
【００４３】
図６は本考案の他の実施形態（実施形態２）の冷却器用結露捕集・排水装置を示す。実施形態２の前記結露捕集・排水装置において、実施形態１で既に説明した構成と共通する構成部等には同一符号を付して説明を省略する。この点については後述する実施形態においても同様である。実施形態２は、冷却器の構成と結露受け入れ貯留容器部に設けられる貫通孔の構成に特徴がある。
【００４４】
実施形態２では、冷却器３Ａとして、ジムロート冷却器が開示されている。冷却器３Ａは、外側管３０と、熱交換用のコイル管４０（パイプ製コイル）と、ジョイント用の口管４１，４２と、この冷媒導入用の口管４３（入口用口管）と、冷媒流出用の口管４４（出口用口管）とを備えている。
【００４５】
前記一方のジョイント用の口管４１は、管４１ａの先端にテーパージョイント４１ｂを有し、管４１ａの基端を外側管３０内と連通させ、外側管３０の一端部側（図６（ｃ），（ｄ）において下端部側）の中心部から突出させて溶着等で固着して設けてある。外側管３０の前記一端部側が結露の水滴の流下する端部側になる。
【００４６】
前記他方のジョイント用の口管４２は、ジョイント用のテーパー筒部４２ａ（接続用嵌合筒部）を有し、前記筒部４２ａの基端を外側管３０内と連通させ、外側管３０の他端部側（図６（ｃ），（ｄ）において上端部側）の中心部から突出させて溶着等で固着して設けてある。
【００４７】
コイル管４０は外側管３０内の一端部側から他端部側にかけて配置され、両端を外側管３０の前記他端部側（図６（ｃ），（ｄ）において上端部側）に溶着等で固着して設けてある。冷媒導入用の口管４３は、コイル管４０の一端に連通させ、外側管３０の前記他端部側から突出させて外側管３０に固着して設けてある。冷媒流出用の口管４４はコイル管４０の他端に連通させ、外側管３０の前記他端部側から突出させて外側管３０に固着して設けてある。
【００４８】
外側管３０の内部で熱交換室４５（冷却室）が形成される。冷媒は冷媒導入用の口管４３へ供給され、コイル管４０の一端からコイル管４０内に順次導入され、コイル管４０内を通過してコイル管４０の他端に連通されている冷媒流出用の口管４４から順次流出（導出）される。コイル管４０に導入された冷媒により熱交換され、前記室４５内は冷却される。蒸気は前記室４５内へ導入される。この蒸気は前記４５内を通過する間にコイル管の冷媒で冷却され、液化する。
【００４９】
冷却器３Ａは、外側管３０の前記一端部側を下部側に位置するように配置して、蒸留装置その他の理化学装置に組み込まれてセットされる。これにより、外側管３０の外周壁面に結露した結露の水滴は外側管３０の前記一端部側に流下する。このように、実施形態２で開示した冷却器３Ａは、外側管３０の前記結露の水滴の流下する端部側から突出させて設けた口管は前記一方のジョイント用の口管４１だけである。冷媒導入用の口管４３及び冷媒流出用の口管４４は外側管３０の前記端部側と反対側の端部側（図６（ｃ），（ｄ）において上端部側）から突出させて設けてある。
【００５０】
実施形態２の冷却器用結露捕集・排水装置は、上記のように構成した冷却器３Ａに装着して使用される。この実施形態２の前記捕集・排水装置の結露受け入れ貯留容器部１は、実施形態１の前記排水管用貫通孔１２と、前記ジョイント用の口管挿通用の貫通孔１３とを備える。実施形態１の前記冷媒導入管用の口管挿通用の貫通孔１４は有していない。即ち、実施形態２の前記容器部１は実施形態１の前記容器部１から前記貫通孔１４を取り除いて構成したものである。他の構成は実施形態１と同様である。
【００５１】
実施形態２の冷却器用結露捕集・排水装置は上記のように構成され、実施形態１と同様に使用される。これにより、実施形態１と同様の作用効果を奏する。
【００５２】
図７は本考案のさらに他の実施形態（実施形態３）の冷却器用結露捕集・排水装置を示す。実施形態３は結露受け入れ貯留容器部に設けられる貫通孔の構成手段に特徴がある。
【００５３】
実施形態３の前記結露捕集・排水装置の結露受け入れ貯留容器部１は、実施形態１又は／及び実施形態２の前記貫通孔１２，１３，１４に代え、前記容器部１の所定の部位に位置させて口管用の指標を表示したものである。
【００５４】
即ち、実施形態３の前記容器部１は、実施形態１の前記容器部１に設けた前記排出管用貫通孔１２の部位に位置させて、前記容器部に表示した排出管用の指標１２Ａを有している。また、前記容器部１は、実施形態１の前記容器部に設けたジョイント用の口管挿通用の貫通孔１３及び冷媒導入用の口管挿通用の貫通孔１４の部位に位置させて、前記容器部１に表示したジョイント用の口管用の指標１３Ａ及び冷媒導入用の口管用の指標１４Ａとを有している。なお、実施形態３では、前記指標１２Ａ，１４Ａと同心円線上に位置させて表示した口管用の指標１４Ｂ，１４Ｃを有している。
【００５５】
前記各指標１２Ａ，１３Ａ，１４Ａ，１４Ｂ，１４Ｃは、前記容器部１の外壁面又は内壁面に印刷その他の任意の手段で表示する。また、前記各指標は前記容器部１の内外両壁面に表示することもできる。実施形態３では各指標を内外両壁面に表示した例が開示されている。なお、前記指標中、指標１４Ｂ及び１４Ｃは所望に応じて表示するもので、省略してもよいこと勿論である。他の構成は実施形態１と同様である。
【００５６】
実施形態３の前記容器部１は上記の構成を具備し、使用する冷却器の種類やタイプ等に対応させ、前記指標のうち、所望の指標を選択して、その部位に所定の大きさの貫通孔を開設して使用される。前記貫通孔は、例えばコルク用の孔開け器等を用いて開設する。前記貫通孔は、基本的には使用者側において開ける。この種の理化学装置の使用者（研究所や企業その他）は、上記したような孔開け器を所有している。前記孔開け器は、孔径が異なる複数本（例えば約１０〜約１５本程度）の孔開け器がセットになっている。
【００５７】
図８には、前記容器部１の指標のうち、所望の指標の部位に貫通孔を開けて結露受け入れ貯留容器部１を構成した例が開示されている。同図（ａ），（ｂ）には、前記指標１２Ａの部位に排水管用貫通孔１２を、前記指標１３Ａの部位にジョイント用の口管挿通用の貫通孔１３を、前記指標１４Ａの部位に冷媒導入用の口管挿通用の貫通孔１４をそれぞれ開設して前記容器部１を構成した例が開示されている。これにより、実施形態１の前記容器部１と同様の構成の結露受け入れ貯留容器部１が作成される。
【００５８】
図８（ｃ），（ｄ）には、前記指標のうち、前記指標１２Ａの部位に排水管用貫通孔１２を、また、前記指標１３Ａの部位にジョイント用の口管挿通用の貫通孔１３を開設して前記容器部１を構成した例が開示されている。これにより、実施形態２の前記容器部１と同様の構成の結露受け入れ貯留容器部１が作成される。
【００５９】
実施形態３の冷却器用結露捕集・排水装置は上記のように構成され、実施形態１及び２と同様に使用される。これにより、実施形態１，２と同様の作用効果を奏する。
【００６０】
なお、上述した実施形態では、冷却器として、リービッヒ冷却器とジムロート冷却器を開示したが、本考案装置は玉入冷却器，蛇管冷却器、その他の理化学装置に使用されている各種型式の冷却器に適用し得ること上述したとおりである。
【００６１】
また、上記した各実施形態の冷却器用結露捕集・排水装置は一例として開示したもので、本考案は上記実施形態に限定されるものではなく、実用新案登録請求の範囲に記載の技術思想を越脱しない範囲において任意に変更可能なものである。
【符号の説明】
【００６２】
１      結露受け入れ貯留容器部
２      排水管
３      冷却器
１０    結露貯留部
１３    ジョイント用の口管挿通用の貫通孔
１４    冷媒導入用の口管挿通用の貫通孔
３０    外側管
３２    ジョイントの口管
３４    冷媒導入用の口管
【図１】
0003156864.tif 000003
【図２】
0003156864.tif 000004
【図３】
0003156864.tif 000005
【図４】
0003156864.tif 000006
【図５】
0003156864.tif 000007
【図６】
0003156864.tif 000008
【図７】
0003156864.tif 000009
【図８】
0003156864.tif 000010